(57)【要約】【課題】名札と笛とを別々に身に着ける必要がないとともに、安全性の高い警笛機能付き名札を提供することを目的とする。【解決手段】樹脂により全体形状が薄板状に成形され、一面は、名前が彫刻され，印字され又は記載され若しくは名前が記載，印字されたシートが貼付される名前表示面２ａとなされ、外周には、空気が吹き込まれる吹き口２ｃが形成されてなり、上記一面又はその裏面には、上記吹き口２ｃから吹き込まれた空気が排気される排気口２ｄが形成されてなるとともに、台布に縫い付ける糸が挿通される少なくとも１つの開口２ｅ，２ｆ，２ｇが形成されてなる【選択図】        図４
0003104371.tif 000002
【実用新案登録請求の範囲】
【請求項１】
樹脂により全体形状が薄板状に成形され、一面は、名前が彫刻され，印字され又は記載され若しくは名前が記載，印字されたシートが貼付される名前表示面となされ、外周には、空気が吹き込まれる吹き口が形成されてなり、上記一面又はその裏面には、上記吹き口から吹き込まれた空気が排気される排気口が形成されてなるとともに、台布に縫い付ける糸が挿通される少なくとも１つの開口が形成されてなることを特徴とする警笛機能付き名札。
【請求項２】
平面形状が、四角形状又は円形状若しくは楕円形状に成形され、前記吹き口は下方の側面に形成されてなるとともに、前記排気口は、裏面の下端側中途部に形成され、前記開口は、上端側中途部と左右両端側中途部に形成されてなることを特徴とする請求項１記載の警笛機能付き名札。
【請求項３】
上端の中央から上方に膨出してなるとともに他の部位と同じ肉厚となされた膨出部が形成され、この膨出部の端面に前記吹き口が形成されてなるとともに、前記排気口は、上記膨出部の基端側であって正面に形成され、前記開口は、上記排気口の近傍及び下端側中途部に形成されてなることを特徴とする請求項１記載の警笛機能付き名札。
【請求項４】
下端のやや左側又は右側から下方に膨出してなるとともに他の部位と同じ肉厚となされた膨出部が形成され、この膨出部の端面に前記吹き口が形成されてなるとともに、前記排気口は、上記膨出部の基端側の正面に形成され、前記開口は、上記排気口の側方及び上端側中途部に形成されてなることを特徴とする請求項１記載の警笛機能付き名札。
【請求項５】
前記樹脂には、蓄光剤が含有してなるか、又は、該蓄光剤が表面に塗布されてなることを特徴とする請求項１，２，３又は４記載の何れかの警笛機能付き名札。
【考案の詳細な説明】
【技術分野】
【０００１】
本考案は、例えば、児童，生徒又は老人若しくは要介護者などのような所謂弱者が身に付ける名札であって、特に警笛機能を有する警笛機能付き名札に関するものである。
【背景技術】
【０００２】
これまで、児童，生徒等は、通学する小中学校や養護学校等の教育機関が定めた規則により、自己の名前が第三者に理解されるよう、上着等に名札を取り付けている。また、例えば、老人ホーム等の老人福祉施設においても、老人に名札を付けている場合が多い。他方、こうした児童，生徒や老人等に笛を持たせ、この笛を吹く（警笛を鳴らす）ことにより、自己の身に危険が生じていることを周囲の者に知らせる提案がされ、これを実行しているところもある。こうした笛は、例えば、笛に紐を通し、この紐を首から下げる方式が採用されている。
【考案の開示】
【考案が解決しようとする課題】
【０００３】
しかしながら、児童，生徒等が、上述した名札と笛をと別個に身に付けることは極めて面倒であるばかりか、笛に通された紐を首から下げる方式では、その紐で首が絞まる等の危険性も指摘される。
【０００４】
そこで、本考案は、上述した従来の名札が有する課題を解決するために提案されたものであって、名札と笛とを別々に身に着ける必要がないとともに、安全性の高い警笛機能付き名札を提供することを目的とするものである。
【課題を解決するための手段】
【０００５】
上述した目的を達成するため、第１の考案（請求項１記載の考案）は、樹脂により全体形状が薄板状に成形され、一面は、名前が彫刻され，印字され又は記載され若しくは名前が記載，印字されたシートが貼付される名前表示面となされ、外周には、空気が吹き込まれる吹き口が形成されてなり、上記一面又はその裏面には、上記吹き口から吹き込まれた空気が排気される排気口が形成されてなるとともに、台布に縫い付ける糸が挿通される少なくとも１つの開口が形成されてなることを特徴とするものである。
【０００６】
なお、上記樹脂は、例えば、ポリスチレン、スチレン−アクリロニトリル等のスチレン系ポリマー、ポリメタクリル酸メチル等のアクリル樹脂、ポリ塩化ビニル、ポリカーボネート、ポリアセタール、ポリエステル、ポリアミド、ポリフェニレンオキサイド、ポリスルホン、ポリエーテルスルホン、ポリフェニレンスルフィド等の硬質樹脂や、線状低密度ポリエチレン，線状超低密度ポリエチレン，エチレン系イオン架橋重合体（アイオノマー），ポリブテン−１系共重合体，プロピレン−αオレフィン共重合体，エチレン−酢酸ビニル共重合体、エチレン−エチルアクリレート共重合体，エチレン−メチルメタクリレート共重合体，エチレン−メチルアクリレート共重合体，エチレン−ブチルアクリレート共重合体，エチレン−アクリル酸共重合体，エチレン−グリシジルメタクリレート共重合体等の軟質樹脂を使用することができる。また、これらの樹脂には、適宜顔料を添加しても良い。
【０００７】
また、この第１の考案では、全体形状が薄板状とされていれば良く、特に平面形状が限定されるものではない。なお、その肉厚は、３〜１０ｍｍとすることが好ましい。この肉厚は、使用する樹脂の硬度にも因るが、３ｍｍ未満とすると強度も低下し、特に硬質樹脂を材料とした場合には、割れや欠けが発生する可能性もあり、逆に肉厚が１０ｍｍを超える場合には、高重量となり衣服に取り付けた場合に垂れ下がる可能性がある。したがって、こうした点に鑑みれば、その肉厚は、４〜６ｍｍとすることが従来の名札と同等となり違和感がないこととも相俟ってより好ましい。また、この第１の考案では、一面が名前表示面とされている必要がある。この名前表示面は、名前が彫刻され，印字され又は記載され若しくは名前が記載，印字されたシートが貼付される部位であり、少なくとも名前が表示できる面積を有する必要があり、名前以外に、学校名や施設名、或いは、クラス、番号等が名前と共に表示されるものであっても良い。さらに、この第１の考案では、警笛機能として、吹き口と、この吹き口から吹き込まれた空気が排気される排気口が形成されている必要がある。上記吹き口は、外周に形成されていれば良く、後述する第４の考案（請求項４記載の考案）のように、膨出部の端面に形成されているものばかりではなく、こうした膨出部が形成されていないものであっても良い。また、上記排気口は、上記名前表示面と同一の面に形成されている必要はなく、該名前表示面が形成された一面とは反対側（裏面）に形成されているものであっても良い。また、この考案では、台布に縫い付ける糸が挿通される少なくとも１つの開口が形成されている必要がある。この開口の位置は、上記吹き口から吹き込まれた空気が排出される排気口が裏面に形成されている場合には、台布により警笛機能が低減されない位置とすることが好ましい。
【０００８】
また、第２の考案（請求項２記載の考案）は、上記第１の考案において、平面形状が、四角形状又は円形状若しくは楕円形状に成形され、前記吹き口は下方の側面に形成されてなるとともに、前記排気口は、裏面の下端側中途部に形成され、前記開口は、上端側中途部と左右両端側中途部に形成されてなることを特徴とするものである。
【０００９】
また、第３の考案（請求項３記載の考案）は、上記第１の考案において、上端の中央から上方に膨出してなるとともに他の部位と同じ肉厚となされた膨出部が形成され、この膨出部の端面に前記吹き口が形成されてなるとともに、前記排気口は、上記膨出部の基端側であって正面に形成され、前記開口は、上記排気口の近傍及び下端側中途部に形成されてなることを特徴とするものである。
【００１０】
また、第４の考案（請求項４記載の考案）は、上記第１の考案において、下端のやや左側又は右側から下方に膨出してなるとともに他の部位と同じ肉厚となされた膨出部が形成され、この膨出部の端面に前記吹き口が形成されてなるとともに、前記排気口は、上記膨出部の基端側の正面に形成され、前記開口は、上記排気口の側方及び上端側中途部に形成されてなることを特徴とするものである。
【００１１】
また、第５の考案（請求項５記載の考案）は、上記第１，第２，第３又は第４の考案の何れかにおいて、前記樹脂には、蓄光剤が含有してなるか、又は、該蓄光剤が表面に塗布されてなることを特徴とするものである。
【００１２】
なお、この第５の考案を構成する蓄光剤は、光の照射によってそのエネルギーを吸収し、照射が停止した後に発光する性質を有する材料であり、例えば、（ＺｎＳ：Ｃｕ，ＣｕＳｒＳ：Ｂｉ等の硫化亜鉛系蓄光剤や（（Ｓｒ，Ｅｕ，Ｄｙ）（Ａｌ，Ｂ）2Ｏ4・（Ｓｒ、Ｅｕ、Ｄｙ）4（Ａｌ，Ｂ）14Ｏ25、（Ｓｒ、Ｄｙ）（Ａｌ，Ｂ）2Ｏ4・（Ｓｒ，Ｄｙ）（Ａｌ，Ｂ）14Ｏ25）等のアルミン酸塩系蓄光剤等を使用することができる。但し、これらの物質は、放射性物質を使用することで人体に悪影響がることが懸念されることから、アルカリ土類アルミン酸塩やアルカリ土類ホウ素アルミン酸塩等を使用することが好ましい。なお、これらの蓄光剤は、樹脂に添加して成形する場合に限られず、表面に塗布されたものであっても良い。
【考案の効果】
【００１３】
上記第１の考案（請求項１記載の考案）に係る考案によれば、名札の吹き口を利用して警笛を鳴らし、第三者に自己の身の危険等を知らせることができ、自己防衛することが可能となる。このことは、例えば児童や生徒が使用することにより、通学の行き帰りに暴行等の被害を受ける危険性を通行人や付近の住民に知らせることができるばかりではなく、校内における暴行や所謂いじめに遭遇した場合においても使用することができ、ひいては、こうした被害を効果的に抑止することが可能となる。また、老人や身体障害者が使用することにより、自己の身体に異常が生じたことを効果的に第三者に知らせることができる。特に、この名札では、こうした警笛機能を有することから、児童や生徒等は、名札と笛とを別々に身に付けるという面倒な作業を強いることがなく、その結果、付け忘れも有効に防止することができる。さらに、この第１の考案では、薄板状に成形されてなるとともに、一面は、名前が彫刻され，印字され又は記載され若しくは名前が記載，印字されたシートが貼付される名前表示面とされていることから、名前を彫刻，印字，記載する場合には簡便となり、該名前表示面に、例えば血液型，緊急連絡先等が表示されている場合には、緊急時において迅速な対応が可能となる。さらに、この考案では、台布に縫い付ける糸が挿通される少なくとも１つの開口が形成されてなることから、台布に縫い付ける際に容易となるばかりではなく、上記開口に紐やチェーンを挿通することにより、首から下げて使用することもできる。
【００１４】
また、第２の考案（請求項２記載の考案）の考案では、先ず、吹き口が下方の側面に形成され、また、排気口は裏面に形成されていることから、外観上は、従来の名札と異なることがなく、違和感が無いばかりではなく、該排気口から砂や泥或いは塵埃が入り込み警笛機能が低減する危険性をも有効に防止することができる。また、この第２の考案では、開口は、上端側中途部と左右両端側中途部に形成されてなることから、台布により、警笛機能が低減する危険性を有効に防止することができる。
【００１５】
また、第３の考案（請求項３記載の考案）では、上端の中央から上方に膨出してなるとともに他の部位と同じ肉厚となされた膨出部が形成され、この膨出部の端面に前記吹き口が形成されてなるとともに、前記排気口は、上記膨出部の基端側であって正面に形成されていることから、警笛を迅速に鳴らす際に反転させる必要がなく、より操作性が良好となる。特に、この考案では、上記膨出部が形成されているばかりではく、排気口が正面に露出されていることから、警笛機能を備えた名札であることを第三者（犯罪者等）に認識させやすいことから、より犯罪の予防効果を高めることができる。また、この第３の考案では、排気口が正面に位置してなることから、台布により警笛機能が低減されることがない。
【００１６】
また、第４の考案（請求項４記載の考案）では、膨出部が下端のやや左側又は右側から下方に形成されていることから、警笛を鳴らす際には反転させなければならないが、該膨出部は左側又は右側から下方に膨出していることから、使用者に向かって衣服の右側に取付けられる場合には、膨出部が（使用者に向かって）左側に形成されていることにより、より警笛を鳴らし易く、また、使用者に向かって衣服の左側に取付けられる場合には、膨出部が（使用者に向かって）右側に形成されていることにより、より警笛を鳴らし易い。また、この第４の考案では、上記排気口が正面に形成されていることが、警笛機能を低減させることにはならない。
【００１７】
また、第５の考案（請求項５記載の考案）では、樹脂には、蓄光剤が含有してなるか、又は、該蓄光剤が表面に塗布されてなることから、夜間においても第三者に使用者の存在を十分視認させることができ、より一層防犯上或いは安全上の効果を高めることが可能となるとともに、この名札を紛失した場合であっても容易に発見することができる。
【考案を実施するための最良の形態】
【００１８】
以下、本考案を実施するための最良の形態を、図面を参照しながら詳細に説明する。先ず、第１の実施の形態に係る警笛機能付き名札について説明する。なお、以下に説明する各実施の形態に係る警笛機能付き名札は、何れも児童や生徒が使用する名札に本考案を適用したものである。
【００１９】
この警笛機能付き名札（以下、名札という。）１は、図１及び図２に示すように、樹脂により平面形状が楕円状に成形されてなるものであり、肉厚は５ｍｍとされている。そして、この名札１は、名札本体２と、この名札本体２に固定された中子３とから構成されてなるものである。上記名札本体２及び中子３は、何れも硬質樹脂により一体成形されてなるものであって、該樹脂には、蓄光剤として、イージーブライト株式会社の製造に係る製品ＥＺＣが含有されている。この製品は、酸化アルミニウム（含有量６０〜７０％），酸化ストロンチウム（含有量２０〜３０％），酸化ユウロビウム（含有量１％未満），酸化ジスプロシウム（含有量１％未満）から構成されてなるものである。そして、上記名札本体２の正面は、図１に示すように、使用者である児童や生徒の名前とともに学校名等が彫刻される名前表示面２ａとなされている。
【００２０】
また、この名札本体２の側面であって、使用時における下端面には、図３に示すように、上端側に長さを有する凹部２ｂが形成され、この凹部２ｂ内には、上記中子３が挿入固定されており、この中子３により幅が狭められた部位が吹き口２ｃとされている。また、この名札本体２の裏面には、上記凹部２ｂに連通してなるとともに上記吹き口２ｃから吹き込まれた空気が排出される排気口２ｄが形成されている。すなわち、この名札１では、上記凹部２ｂ，吹き口２ｃ及び排気口２ｄからなる警笛機能を備えている。なお、上記中子３は、図４に示すように、外側に露出した端面は、上記名札本体２の側面と面一となるように同一の曲率に成形されている。また、上記名札本体２の（使用時における上端側）には、第１の開口２ｅが形成され、また、中央の左側には第２の開口２ｆが、右側には第３の開口２ｇが形成されている。これら第１乃至第３の開口２ｅ，２ｆ，２ｇは、それぞれ円形状をなし、長方形に裁断された台布４にこの名札１を縫着するための図示しない糸が挿通される部位である。
【００２１】
そして、このように構成された上記名札１は、図５に示すように、上記台布４に固定されるとともに、安全ピン５により児童又は生徒の衣服に取り付けられて使用される。すなわち、この実施の形態では、上記名前表示面２ａが表面となるとともに上記排気口２ｄが裏面となるとともに、上記吹き口２ｃが下端面に位置するように、上記台布４に第１乃至第３の開口２ｅ，２ｆ，２ｇに挿通された糸により（３点で）縫着される。したがって、吹き口２ｃが形成された部位及びその近傍は、上記台布４に縫着されていない。
【００２２】
以下、上記台布４に縫着された名札１により、警笛を鳴らす方法に付いて簡単に説明する。児童や生徒が自己の身に危険が発生した場合には、上記名札１の下側が上側となるよう反転させ、上記吹き口２ｃ近傍を口に含み、該吹き口２ｃから息（空気）を吹く。こうした動作により、警笛が鳴る。なお、この警笛の鳴らし方（笛の吹き方）に関しては、幾つかの方法があり、この複数の鳴らし方とその鳴らし方に対応した意味内容とを学校や地域で予め決定し、こうした取り決めを前提に使用するようにしても良い。例えば、ある程度の時間に亘って絶え間なく鳴らし続ける場合には、それが所謂いじめを受けている事態に遭遇している意味であり、短く間歇的に鳴らす場合には、暴行等を受け又は受けると予想される緊急事態であるという意味として、予め決定するとともに、このことを児童や生徒ばかりではなく、地域住民にも周知させることにより、遭遇した事情・事態に最も適切且つ迅速に対処することができる。
【００２３】
このように、上述した第１の実施の形態に係る名札１によれば、これまで使用されてきた名札と全く同じように、児童や生徒の氏名等を表示することができとともに、衣服への取付方法もこれまでのものと変わることがないので、特別の違和感もなく、また付け忘れも有効に防止することができる。そして、この名札１では、上記警笛機能を備えているので、児童や生徒の通学の行き帰りに暴行等の被害を受ける危険性を通行人や付近の住民に知らせることができるばかりではなく、校内における暴行や所謂いじめに遭遇した場合においても使用することができ、ひいては、こうした被害を効果的に抑止することが可能となる。特に、この第１の実施の形態に係る名札１では、吹き口２ｃが側面に形成され、且つ、排気口２ｄが裏面に位置するように上記台布４に取り付けられることから、外観上従来の名札との差異を生ずることがないばかりか、該排気口２ｄから砂や泥或いは塵埃が入り込み警笛機能が低減する危険性をも有効に防止することができる。また、この名札１では、上記台布４に対して、上記吹き口２ｃや排気口２ｄ近傍が固定されておらず、上記第１乃至第３の開口２ｅ，２ｆ，２ｇが形成された位置で固定されているので、警笛機能が低減する危険性を有効に防止することができる。しかも、この名札１では、上記樹脂に蓄光剤が含有してなることから、夜間においても第三者に児童や生徒の存在を十分視認させることができ、より一層防犯上或いは安全上の効果を高めることが可能となるとともに、この名札１を紛失した場合であっても容易に発見することができる。
【００２４】
次に、本考案の第２の実施の形態に係る名札１１に付いて詳細に説明する。この名札１１は、図６及び図７に示すように、名札本体１２と、中子１３とから構成されている。なお、この名札１１の素材は、上記第１の実施の形態に係る名札１と同様であり、全体が５ｍｍの肉厚となされている。そして、上記名札本体１２は、正面が名前表示部１２ａとされているとともに、（衣服への取付時における）上端の中央には、膨出部１２ｂが形成されており、この膨出部１２ｂの端面に、吹き口１２ｃが形成されている。すなわち、図８に示すように、上記膨出部１２ｂの端面から下端方向に凹部１２ｄが形成され、この凹部１２ｄ内に上記中子１３が挿入固定されており、この中子１３により狭められた開口が上記吹き口１２ｃとされている。なお、上記膨出部１２ｂの肉厚は、他の部位の肉厚と同一とされている。そして、この名札本体１２の正面の上端側中途部には、上記凹部１２ｄに連通した排気口１２ｅが形成されている。さらに、この名札本体１２には、下端側に第１の開口１２ｆが形成され、上記排気口１２ｅの左側には、第２の開口１２ｇが、また、右側には第３の開口１２ｈが形成されている。これら第１乃至第３の開口１２ｆ，１２ｇ，１２ｈは、それぞれこの名札１１が取り付けられる台布４に縫着される糸が挿通される部位である。なお、衣服への取付方法は、前記第１の実施の形態に係る名札１と同様である。
【００２５】
このように構成された第２の実施の形態に係る名札１１によれば、前記第１の実施の形態に係る名札１のように、警笛を鳴らす際に、上下反転させる必要性はなく、上端側の中央に形成された上記膨出部１２ｄを口に含み吹き口１２ｃ内に息を吹き込めば良いので、より操作性が良好となり、また、排気口１２ｅは、正面側に形成されていることから、台布４により警笛機能が低減する危険性も防止することができる。また、この名札１１では、上記膨出部１２ｂが形成され排気口１２ｅが正面側に形成され、従来の名札とは異なり警笛機能を有することが明瞭であり、このことを第三者に容易に理解させることができるので、犯罪が未然に防止されることが期待できる。
【００２６】
なお、上述した膨出部１２ｂは、必ずしも（衣服への取付時における）上端側の中央に形成されていなければならないことはなく、第３の実施の形態に係る名札２１として、図１０に示すように、より児童や生徒の体の中心側（左側）に偏った位置に形成されているものであっても良い。すなわち、この名札２１は、名札本体２２と中子２３とからなり、正面には名前表示部２２ａが形成され、膨出部２２ｂは、略楕円形状に成形された上記名前表示部２２ａの中央下端部よりやや（この名札２１を取り付けた使用者に向かって）左側から下方に膨出しており、図１２に示されるように、この膨出部２２ｂの端面に吹き口２２ｄが形成されている。また、排気口２２ｃは、名前表示部２２ａが形成された正面に形成されている。すなわち、上記膨出部２２ｂの端面から上方に凹部２２ｇが形成され、上記中子２３がこの凹部２２ｇ内に挿入固定され、該中子２３により狭められた部位が上記吹き口２２ｄとされている。また、この名札２１では、上記糸が挿通される部位として、上端側に第１の開口２２ｅが形成され、下端側（上記膨出部２１ｂの側方）に第２の開口２２ｆが形成されている。
【００２７】
このように構成された第３の実施の形態に係る名札２１による場合であっても、上記第１及び第２の実施の形態に係る名札１，１１と同じように、警笛機能を備えているので、児童や生徒の通学の行き帰りに暴行等の被害を受ける危険性を通行人や付近の住民に知らせることができるばかりではなく、校内における暴行や所謂いじめに遭遇した場合においても使用することができ、ひいては、こうした被害を効果的に抑止することが可能となる。特に、この第３の実施の形態に係る名札２１では、図１３に示すように、膨出部２２ｂが児童や生徒の体の中心側に偏った位置に形成されていることから、より瞬時に警笛を鳴らすことが可能となる。
【００２８】
なお、上記各実施の形態に係る名札１，１１，２１では、何れも全体形状が楕円状又は楕円状に近い形状に成形されているが、本考案に係る名札は、こうした形状に限定されるものではなく、例えば、正面形状が正方形状，長方形状等、任意の形状としても良い。また、上述したように、必ずしも台布４に縫着されるものに限定されず、図示しないクリップやピン等を構成要素とし、これらクリップやピン等を介して衣服に取り付けるタイプのものとしても良い。さらには、例えば、名札の上端側に開口を形成し、それに紐，チェーン等を挿通して首に吊り下げるタイプのものとしても良い。
【図面の簡単な説明】
【００２９】
【図１】第１の実施の形態に係る警笛機能付き名札を示す正面図である。
【図２】第１の実施の形態に係る警笛機能付き名札を示す背面図である。
【図３】第１の実施の形態に係る警笛機能付き名札を示す断面図である。
【図４】第１の実施の形態に係る警笛機能付き名札を示す斜視図である。
【図５】第１の実施の形態に係る警笛機能付き名札の使用状態示す斜視図である。
【図６】第２の実施の形態に係る警笛機能付き名札を示す正面図である。
【図７】第２の実施の形態に係る警笛機能付き名札を示す平面図である。
【図８】第２の実施の形態に係る警笛機能付き名札を示す斜視図である。
【図９】第２の実施の形態に係る警笛機能付き名札の使用状態示す斜視図である。
【図１０】第３の実施の形態に係る警笛機能付き名札を示す正面図である。
【図１１】第３の実施の形態に係る警笛機能付き名札を示す底面図である。
【図１２】第３の実施の形態に係る警笛機能付き名札を示す斜視図である。
【図１３】第３の実施の形態に係る警笛機能付き名札の使用状態示す斜視図である。
【符号の説明】
【００３０】
１    警笛機能付き名札
２    名札本体
２ａ    名前表示面
２ｃ    吹き口
２ｄ    排気口
２ｅ    第１の開口
２ｆ    第２の開口
２ｇ    第３の開口
１１    警笛機能付き名札
１２    名札本体
１２ａ    名前表示面
１２ｃ    吹き口
１２ｄ    排気口
１２ｆ    第１の開口
１２ｇ    第２の開口
１２ｈ    第３の開口
２１    警笛機能付き名札
２２ｂ    膨出部
２２ｃ    吹き口
２２ｄ    排気口
２２ｅ    第１の開口
２２ｆ    第２の開口
【図１】
0003104371.tif 000003
【図２】
0003104371.tif 000004
【図３】
0003104371.tif 000005
【図４】
0003104371.tif 000006
【図５】
0003104371.tif 000007
【図６】
0003104371.tif 000008
【図７】
0003104371.tif 000009
【図８】
0003104371.tif 000010
【図９】
0003104371.tif 000011
【図１０】
0003104371.tif 000012
【図１１】
0003104371.tif 000013
【図１２】
0003104371.tif 000014
【図１３】
0003104371.tif 000015